(57)【要約】      （修正有）【解決手段】３原色発光ダイオードにそれを駆動する電流用の導線４を接続して、導線自体が３原色発光ダイオード５を支え、使用者が任意方向に向けることができるようにしたものを１ユニットとし、複数のユニットを基台が支え、各ユニットがそれぞれ異なる周期で発光色を変えることのできる３原色発光ダイオードによるライティングモジュールを考案した。空間的、時間的に多様で無限な発光色同士の組み合わせと移ろいが実現するため、視覚を通してリラックス感や心のいやし効果を得ることができる。【効果】従来のライティングモジュールと異なり、使用者が定める３次元的に異なる場所から、複数の３原色発光ダイオードがそれぞれ異なる周期で発光色を変えるため、時間的、空間的に無限の多様性を持った発光色同士の組み合わせを実現することが可能となった。【選択図】図１
0003121455.tif 000002
【実用新案登録請求の範囲】
【請求項１】
光の３原色である赤色、緑色、青色を発する３個の発光ダイオードと、それらに流す電流を時間と共に変える制御回路とを同一単体内部に設け、通電によって合成される発光色が連続的に変わる３原色発光ダイオードに、それを駆動する導線を接続して、導線自体が３原色発光ダイオードを支え、使用者が任意方向に向けることができるようにしたものを1ユニットとし、複数のユニットを基台が支え、各ユニットの３原色発光ダイオードがそれぞれ異なる周期で発光色を変えることによって、時間的、空間的に多様な発光色同士の組み合わせを実現することを特徴とする、３原色発光ダイオードによるリラックスライティングモジュール。
【請求項２】
請求項１における各ユニットに流す電流を時間と共に変える制御回路を基台内に設置し、各ユニットの３原色発光ダイオードがそれぞれ異なる周期で発光色を変えることによって、時間的、空間的に多様な発光色同士の組み合わせを実現することを特徴とする、３原色発光ダイオードによるリラックスライティングモジュール。
【考案の詳細な説明】
【技術分野】
【０００１】
本考案は光の３原色である赤色、緑色、青色を発する３個の発光ダイオードを同一単体内部に設けた３原色発光ダイオードに、それを駆動する電流を流す導線を接続して、導線自体が３原色発光ダイオードを支え、使用者が任意方向に向けることができるようにしたものを1ユニットとし、複数のユニットを基台が支え、各ユニットの３原色発光ダイオード中の赤色、緑色、青色発光ダイオードに流す電流を時間と共に変える制御回路を設置し、各ユニットの３原色発光ダイオードがそれぞれ異なる周期で発光色を変えることによって、時間的、空間的に多様な発光色同士の組み合わせを実現し、心にいやし効果をもたらすことを特徴とする、３原色発光ダイオードによるリラックスライティングモジュールに関する。
【背景技術】
【０００２】
従来の３原色発光ダイオードを用いたライティングモジュールは、赤、緑、青の３発光色を同一場所や同一基台上で発生し、それを様々な導光材や反射材に当ててライティングの効果を得ていた。実用新案登録第３０７８２０４号では、赤色、緑色、青色の発光ダイオード３個が機体上面に設置された発光器として取り付けられ、実用新案登録第３１０５３５２号では、赤色、青色、黄色の発光ダイオード３個が筐体ケース上面に取り付けられ、それらの合成によって発光色を変化させている。
【特許文献１】実用新案登録第３０７８２０４号
【特許文献２】実用新案登録第３１０５３５２号
【考案の開示】
【考案が解決しようとする課題】
【０００３】
しかしながら実用新案登録第３０７８２０４号では、発光器が１つの場合、水晶体球、光反射装飾品、光ファイバー等に投影される発光色は全体として１つの周期で変わるだけである。複数の発光器を用いる場合でも、これら発光器が機体上面の限られた同一平面内に固定されているため、発光色の変化は多様性に乏しく、白熱電球の光をモーターで回転させた色フィルタを通して着色する過去の方式と同様の投影効果を与えるに留まっていた。実用新案登録第３１０５３５２号では、乳白球形すりガラスに投影される発光色は１つの周期で変わるだけであった。
総じて発光色を時間的に変化させても、その周期が単一であったり、発光色が１箇所または限定された平面上から投射されるだけで、装置全体として変化の多様性に乏しいと言う問題点があった。これでは折角小型、点光源、軽量、高効率の発光ダイオードを利用しても、その特長を十分活用したことにはならない。
【課題を解決するための手段】
【０００４】
この課題を解決するため、請求項１においては、光の３原色である赤色、緑色、青色を発する３個の発光ダイオードと、それらに流す電流を時間と共に変える制御回路とを同一単体内部に設け、通電によって合成される発光色が連続的に変わる３原色発光ダイオードに、それを駆動する導線を接続して、導線自体が３原色発光ダイオードを支え、使用者が任意方向に向けることができるようにしたものを1ユニットとし、複数のユニットを基台が支え、各ユニットの３原色発光ダイオードがそれぞれ異なる周期で発光色を変えることによって、時間的、空間的に多様な発光色同士の組み合わせを実現することを特徴とする。
【０００５】
また、請求項２では、請求項１における各ユニットに流す電流を時間と共に変える制御回路を基台内に設置し、各ユニットの３原色発光ダイオードがそれぞれ異なる周期で発光色を変えることによって、時間的、空間的に多様な発光色同士の組み合わせを実現することを特徴とする。
【考案の効果】
【０００６】
従来のライティングモジュールと異なり、使用者が定める３次元的に異なる場所から、複数の３原色発光ダイオードがそれぞれ異なる周期で発光色を変えるため、時間的、空間的に無限の多様性を持った発光色同士の組み合わせを実現することが可能となった。これは白熱電球の光をモーターで回転させた色フィルタを通して着色する方式や、３原色発光ダイオードを単に機体上面の限られた同一平面内に固定した従来方式では不可能である。
本考案の例示として３ユニットのみの場合でも、ある瞬間には赤色と白色と青色が、別の瞬間には緑色とオレンジ色と紫等が組み合わされ、また全てが比較的赤に近い色調となったりする。ユニット数を増やすとこの移ろう彩りの組み合わせ効果はさらに増大し、単に全体の彩りとその移ろいが美しいのみでなく、次にどのような彩りの空間的組み合わせが現れるかの期待が膨らむ。また１つの３原色発光ダイオードを追うと、やがて以前の発光色が再現されることから、人間の視覚を通して無意識のうちに時間的、空間的な広がりが想起され、ストレスに疲労した心のリラックス効果、いやし効果を得ることができる。
【０００７】
発光ダイオードは小型、高効率で、白熱電球のように赤外線を発しないため、本体に直接装飾用の導光材、反射材を接続しても熱変性を心配する必要がない。軽量なため導線自体に支持機能を持たせることができ、オブジェとして使用者が好きな形に発光ユニットの形状を変えることができる。また低消費電力、長寿命なため、発光ユニット数を増しても信頼性に問題はなく、多彩ないやし効果を容易に得ることができる。このように本考案は、発光ダイオードの特長を十分に活用して、従来にない新たな心理的機能を実現したものである。
【考案を実施するための最良の形態】
【０００８】
図１に示すように、本考案は基台１、電源コード２、調節スイッチ３、複数の３原色発光ダイオード５とそれらを支える使用者が変形可能な支持導線４から成っている。
【０００９】
図２に示すように、３原色発光ダイオード５は絶縁部６を通して使用者が変形可能な支持導線４と接続されている。使用者が変形可能な支持導線４は、発光色制御回路１２が３原色発光ダイオード５の中に設置される場合はプラスとマイナスの２本であり、発光色制御回路１２が基台１の中に設置される場合は赤、緑、青、共通の４本である。
【００１０】
図３に示すように、３原色発光ダイオード５の周囲に、その発光を導光または散乱、反射させて色彩変化の効果を高めるための導光または散乱、反射材７を、導光または散乱、反射材支持部８を用いて設置することができる。発光ダイオード周辺は赤外光による発熱がないので、人間の感情を和ませる花、虫、鳥、人形等の任意形状の導光または散乱、反射材７を容易に設置できる。花の場合、使用者が変形可能な支持導線４は茎となり、さらに葉等の造形を付加することができる。
【００１１】
これら図３に示す導光または散乱、反射材７を伴った発光部分を、図４に示すように複数設置し、各々の発光色を独立に変えていくと、時間的、空間的に広がり移ろう多彩な発光色の組み合わせに無限の変化が得られ、ストレスに疲れた心をリラックスさせたり落ち着かせたりし、さらにいやし効果をもたらすことができる。
【００１２】
図５に示すように、３原色発光ダイオード５の中に赤色発光ダイオード９、緑色発光ダイオード１０、青色発光ダイオード１１及び発光色制御回路１２が設置される場合、各３原色発光ダイオード５は使用者が変形可能な支持導線４を通して、基台１の中の全体制御回路１３に接続される。発光色制御回路１２は、各回路毎に異なる周期で赤色発光ダイオード９、緑色発光ダイオード１０、青色発光ダイオード１１に流れる電流を変え、発光色を変化させる。電源コード２を介して供給される交流電圧１００Vは、直流安定化電源回路１４で直流電圧に変換され、全体制御回路１３に接続される。直流安定化電源回路１４及び全体制御回路１３には、電源スイッチや好みの時点で発光色の変化を止める調節スイッチ３を含めることができる。また電池の電圧を直接全体制御回路１３に接続する場合も含める。
【００１３】
図６に示すように、３原色発光ダイオード５が赤色発光ダイオード９、緑色発光ダイオード１０、青色発光ダイオード１１から成る場合、各３原色発光ダイオード５は使用者が変形可能な支持導線４を通して、基台１の中の発光色制御回路１２、さらには全体制御回路１３に接続される。発光色制御回路１２は、各回路毎に異なる周期で赤色発光ダイオード９、緑色発光ダイオード１０、青色発光ダイオード１１に流れる電流を変え、発光色を変化させる。電源コード２を介して供給される交流電圧１００Vは、直流安定化電源回路１４で直流電圧に変換され、全体制御回路１３に接続される。直流安定化電源回路１４及び全体制御回路１３には、電源スイッチや好みの時点で発光色の変化を止める調節スイッチ３を含めることができる。また電池の電圧を直接全体制御回路１３に接続する場合も含める。
【図面の簡単な説明】
【００１４】
【図１】本考案の一実施例による全体斜視図である。
【図２】本考案の発光部分に係る基本構造を示す外観図である。
【図３】本考案の一実施例に係る導光または散乱、反射材を伴った発光部分の断面図である（３原色発光ダイオード部分は区別のため破線で示す）。
【図４】本考案の一実施例による全体斜視図である。
【図５】本考案の一実施例による全体回路接続図である。
【図６】本考案の一実施例による全体回路接続図である。
【符号の説明】
【００１５】
１  基台
２  電源コード
３  調節スイッチ
４  使用者が変形可能な支持導線
５  ３原色発光ダイオード
６  絶縁部
７  導光または散乱、反射材
８  導光または散乱、反射材支持部
９  赤色発光ダイオード
１０  緑色発光ダイオード
１１  青色発光ダイオード
１２  発光色制御回路
１３  全体制御回路
１４  直流安定化電源回路
【図１】
0003121455.tif 000003
【図２】
0003121455.tif 000004
【図３】
0003121455.tif 000005
【図４】
0003121455.tif 000006
【図５】
0003121455.tif 000007
【図６】
0003121455.tif 000008